(57)【要約】【課題】急速暖房モードでの暖房運転による暖房端末の暖房開始までの時間の短縮効果をより確実に生じさせる温水暖房システムを提供する。【解決手段】床暖房コントローラ５４は、暖房運転を開始したときに、「第１急速暖房モード」により暖房高温サーミスタ１８の検出温度が８０℃となるようにバーナ１５の加熱量を制御し、該制御を行った後の暖房低温サーミスタ２０の検出温度が７０℃以下であるときには、暖房低温サーミスタ２０の検出温度が７０℃となるようにバーナ１５の加熱量を増大させる「第２急速暖房モード」での暖房運転を実行し、「第２急速暖房モード」での暖房運転の終了後は、暖房低温サーミスタ２０の検出温度が６０℃となるように、バーナ１５の加熱量を制御する「定常暖房モード」での暖房運転に移行する。【選択図】  図１
2013108723.tif 000002
【特許請求の範囲】
【請求項１】
第１熱媒循環路と、
前記第１熱媒循環路の途中に設けられて、前記第１熱媒循環路内を循環する熱媒を加熱する加熱部と、
前記第１熱媒循環路の途中に設けられて、前記第１熱媒循環路を循環する熱媒が貯められるタンクと、
一端が前記第１熱媒循環路の前記加熱部の戻り口と前記タンクとの間の箇所に接続される共に、他端が前記第１熱媒循環路の前記加熱部の往き口と前記タンクとの間の箇所に接続された第２熱媒循環路と、
前記第２熱媒循環路の途中に接続されて、前記第２熱媒循環路から供給される熱媒からの放熱により暖房を行なう暖房端末と、
前記タンクに貯められた熱媒を、前記第１熱媒循環路及び前記第２熱媒循環路内に循環させるポンプと、
前記加熱部から前記第１熱媒循環路に供給される熱媒の温度を検出する加熱往き温度センサと、
前記第２熱媒循環路から前記暖房端末に供給される熱媒の温度を検出する端末供給温度センサと、
前記ポンプを作動させて前記暖房端末に熱媒を供給すると共に、前記加熱往き温度センサ又は前記端末供給温度センサの検出温度に応じて前記加熱部の加熱量を制御する暖房運転を行ない、該暖房運転の定常暖房モードにおいては、前記端末供給温度センサの検出温度が第１設定温度となるように、前記加熱部の加熱量を制御する暖房制御部と
を備えた暖房システムにおいて、
前記暖房制御部は、前記暖房運転を開始したときに、前記加熱往き温度センサの検出温度が前記第１設定温度よりも高い第２設定温度となるように、前記加熱部の加熱量を制御する第１急速暖房モードとし、該第１急速暖房モードでの暖房運転を行なったときの前記端末供給温度センサの検出温度の上昇度合が所定レベル未満であるとき、又は該第１急速暖房モードでの暖房運転を所定時間行ったときの前記端末供給温度センサの検出温度が所定温度未満であるときには、前記加熱部の加熱量を該第１急速暖房モードでの暖房運転実行時よりも増大させる第２急速暖房モードに切替え、該第２急速暖房モードでの暖房運転の終了後に、前記定常暖房モードでの暖房運転を行なうことを特徴とする暖房システム。
【請求項２】
請求項１に記載の暖房システムにおいて、
前記暖房制御部は、前記第２急速暖房モードにおいて、前記端末供給温度センサの検出温度が前記第１設定温度よりも高い第３設定温度となるように、前記加熱部の加熱量を制御することによって、前記加熱部の加熱量を増大させることを特徴とする暖房システム。
【請求項３】
請求項２に記載の暖房システムにおいて、
前記暖房制御部は、前記第２急速暖房モードにおいて、前記端末供給温度センサの検出温度が前記第３設定温度となるように、前記加熱部の加熱量を制御するときに、前記加熱往き温度センサの検出温度が前記第２設定温度よりも高い高温上限温度未満になるように、前記加熱部の加熱量を制限することを特徴とする暖房システム。
【請求項４】
請求項１に記載の暖房システムにおいて、
前記暖房制御部は、前記第２急速暖房モードにおいて、前記加熱往き温度センサの検出温度が前記第２設定温度よりも高い第４設定温度となるように、前記加熱部の加熱量を制御することにより、前記加熱部の加熱量を増大させることを特徴とする暖房システム。
【発明の詳細な説明】
【技術分野】
【０００１】
本発明は、暖房端末が接続された熱媒循環路内を循環する熱媒を加熱して暖房を行う暖房システムに関する。
【背景技術】
【０００２】
従来より、例えば熱媒として温水を使用して、床暖房機等の暖房端末が途中に接続された温水循環路内を循環する温水を熱源機により加熱することによって、暖房を行う暖房システムが知られている（例えば、特許文献１参照）。
【０００３】
特許文献１に記載された暖房システムにおいては、暖房端末による暖房運転の開始時に、暖房端末に供給される温水の温度を速やかに上昇させるために、熱源機から温水循環路に供給される温水の設定温度を、定常暖房モードでの設定温度（６０℃）よりも高い設定温度（８０℃）とする急速暖房モードでの暖房運転（ホットダッシュ運転）を行っている。
【先行技術文献】
【特許文献】
【０００４】
【特許文献１】特開平９−２６９１３３号公報
【発明の概要】
【発明が解決しようとする課題】
【０００５】
特許文献１に記載されたように、急速暖房モードでの暖房運転を行なうことによって、暖房端末による暖房が開始されるまでの時間を短縮することができる。しかしながら、暖房端末の暖房負荷が大きい場合には、急速暖房モードによる暖房運転を行なっても、暖房端末内を流通する熱媒の温度が上昇し難くなるため、暖房が開始されるまでの時間の短縮効果が小さくなる。
【０００６】
本発明はかかる背景に鑑みてなされたものであり、急速暖房モードでの暖房運転により、暖房端末の暖房開始までの時間の短縮効果をより確実に生じさせることができる温水暖房システムを提供することを目的とする。
【課題を解決するための手段】
【０００７】
本発明は上記目的を達成するためになされたものであり、
第１熱媒循環路と、
前記第１熱媒循環路の途中に設けられて、前記第１熱媒循環路内を循環する熱媒を加熱する加熱部と、
前記第１熱媒循環路の途中に設けられて、前記第１熱媒循環路を循環する熱媒が貯められるタンクと、
一端が前記第１熱媒循環路の前記加熱部の戻り口と前記タンクとの間の箇所に接続される共に、他端が前記第１熱媒循環路の前記加熱部の往き口と前記タンクとの間の箇所に接続された第２熱媒循環路と、
前記第２熱媒循環路の途中に接続されて、前記第２熱媒循環路から供給される熱媒からの放熱により暖房を行なう暖房端末と、
前記タンクに貯められた熱媒を、前記第１熱媒循環路及び前記第２熱媒循環路内に循環させるポンプと、
前記加熱部から前記第１熱媒循環路に供給される熱媒の温度を検出する加熱往き温度センサと、
前記第２熱媒循環路から前記暖房端末に供給される熱媒の温度を検出する端末供給温度センサと、
前記ポンプを作動させて前記暖房端末に熱媒を供給すると共に、前記加熱往き温度センサ又は前記端末供給温度センサの検出温度に応じて前記加熱部の加熱量を制御する暖房運転を行ない、該暖房運転の定常暖房モードにおいては、前記端末供給温度センサの検出温度が第１設定温度となるように、前記加熱部の加熱量を制御する暖房制御部と
を備えた暖房システムにおいて、
前記暖房制御部は、前記暖房運転を開始したときに、前記加熱往き温度センサの検出温度が前記第１設定温度よりも高い第２設定温度となるように、前記加熱部の加熱量を制御する第１急速暖房モードとし、該第１急速暖房モードでの暖房運転を行なったときの前記端末供給温度センサの検出温度の上昇度合が所定レベル未満であるとき、又は該第１急速暖房モードでの暖房運転を所定時間行ったときの前記端末供給温度センサの検出温度が所定温度未満であるときには、前記加熱部の加熱量を該第１急速暖房モードでの暖房運転実行時よりも増大させる第２急速暖房モードに切替え、該第２急速暖房モードでの暖房運転の終了後に、前記定常暖房モードでの暖房運転を行なうことを特徴とする（第１発明）。
【０００８】
第１発明によれば、前記暖房制御部が、前記第１急速暖房モードにより、前記加熱往き温度センサの検出温度が前記第２設定温度となるように、前記加熱部の加熱量を制御したときに、前記暖房端末の暖房負荷が大きいほど、前記端末供給温度センサの検出温度の上昇度合が小さくなり、また、この制御を所定時間行ったときの前記端末供給温度センサの検出温度が低くなる。
【０００９】
そこで、前記暖房制御部は、前記端末供給温度センサの検出温度の上昇度合が前記所定レベル未満であるとき、又は前記端末供給温度センサの検出温度が前記所定温度未満であるときに、前記第１急速暖房モードから前記第２急速暖房モードに切替えて、前記加熱部の加熱量をさらに増大させる。これにより、前記暖房端末に供給される熱媒の温度が上昇するため、前記暖房端末による暖房が開始されるまでの時間の短縮効果をより確実に生じさせることができる。
【００１０】
また、第１発明において、前記暖房制御部は、前記第２急速暖房モードにおいて、前記端末供給温度センサの検出温度が前記第１設定温度よりも高い第３設定温度となるように、前記加熱部の加熱量を制御することによって、前記加熱部の加熱量を増大させることを特徴とする（第２発明）。
【００１１】
第２発明によれば、前記暖房制御部により、前記第２急速暖房モードにおいて、前記端末供給温度センサの検出温度が前記第３設定温度となるように、前記加熱部の加熱量を制御することによって、前記暖房端末に供給される熱媒の温度を前記第１設定温度よりも確実に上昇させて、前記暖房端末による暖房が開始されるまでの時間を短縮することができる。
【００１２】
また、第２発明において、前記暖房制御部は、前記第２急速暖房モードにおいて、前記端末供給温度センサの検出温度が前記第３設定温度となるように、前記加熱部の加熱量を制御するときに、前記加熱往き温度センサの検出温度が前記第２設定温度よりも高い高温上限温度未満になるように、前記加熱部の加熱量を制限することを特徴とする（第３発明）。
【００１３】
第３発明によれば、前記暖房制御部により、前記加熱機往き温度センサの検出温度が前記高温上限温度未満になるように、前記加熱部の加熱量を制限することによって、前記加熱部の過熱による劣化等が生じることを防止することができる。
【００１４】
また、第１発明において、前記暖房制御部は、前記第２急速暖房モードにおいて、前記加熱往き温度センサの検出温度が前記第２設定温度よりも高い第４設定温度となるように、前記加熱部の加熱量を制御することにより、前記加熱部の加熱量を増大させることを特徴とする（第４発明）。
【００１５】
第４発明によれば、前記暖房制御部により、前記第２急速暖房モードにおいて、前記加熱往きセンサの検出温度が前記第４設定温度となるように、前記加熱部の加熱量を制御することによって、前記暖房端末に供給される熱媒の温度を速やかに上昇させて、前記暖房端末による暖房が開始されるまでの時間を短縮することができる。
【図面の簡単な説明】
【００１６】
【図１】温水暖房システムの構成図。
【図２】暖房運転のフローチャート。
【発明を実施するための形態】
【００１７】
本発明の実施形態について、図１〜図２を参照して説明する。図１は、本実施形態の暖房システム（温水暖房システム）の全体構成図であり、本実施形態の温水暖房システムは、熱媒として水（温水）を使用する。
【００１８】
温水暖房システムは、熱源機１と、熱源機１と端末温水回路２を介して接続された温風暖房機３及び床暖房パネル４（本発明の暖房端末に相当する）とを備え、温風暖房機３及び床暖房パネル４は、端末温水回路２内を循環する温水からの放熱により暖房を行う。
【００１９】
熱源機１には、接続部ａ，ｂ，ｃを介して端末温水回路２と接続された主温水回路１３、主温水回路１３の途中に設けられた熱交換器１４、熱交換器１４を加熱するバーナ１５、主温水回路１３と端末温水回路２内の温水を循環させるポンプ１６、主温水回路１３と端末温水回路２内の温水が貯められて温水の膨張と収縮を吸収する大気開放型のシスターン１７（本発明のタンクに相当する）、熱交換器１４から出湯される温水の温度を検出する暖房高温サーミスタ１８（本発明の加熱往き温度センサに相当する）、熱交換器１４の上流側（戻り口側）と下流側（往き口側）の主温水回路１３を連通するバイパス通路１９、及びポンプ１６から送出される温水（シスターン１７において、熱交換器１４からバイパス通路１９を介して供給される温水と端末温水回路２から戻る温水とが混合された温水）の温度を検出する暖房低温サーミスタ２０（本発明の端末供給温度センサに相当する）が備えられている。
【００２０】
なお、本発明のタンクとして、大気開放型のシスターン１７に代えて、密閉式の膨張タンクを用いてもよい。
【００２１】
なお、熱交換器１４とバーナ１５とにより、本発明の加熱部が構成される。また、主温水回路１３のシスターン１７→ポンプ１６→熱交換器１４→バイパス通路１９→シスターン１７の経路により、本発明の第１熱媒循環路が構成される。また、主温水回路１３の熱交換器１４の戻り口とシスターン１７の間の箇所Ｘから接続部ｂまでの接続路２７と、端末温水回路２のうちの接続部ｂから床暖房パネル４を経由して接続部ａに至る床暖房温水回路３１と、接続部ａからバイパス通路１９との接続箇所までの主温水回路１３とにより、本発明の第２熱媒循環路が構成される。
【００２２】
さらに、熱源機１には、バーナ１５に燃焼用空気を供給する燃焼ファン２１、バーナ１５に燃料ガスを供給するガス供給管２２に設けられて、ガス供給管２２を開閉する元ガス電磁弁２３及びガス電磁弁２４、ガス供給管２２の開度を変更して燃料ガスの供給流量を調節するガス比例弁２５、及び、熱源機１の全体的な作動を制御する熱源機コントローラ２６が備えられている。
【００２３】
熱源機コントローラ２６は、マイクロコンピュータやメモリ等により構成された電子ユニットであり、燃焼ファン２１の回転数とガス比例弁２５の開度を調節することによって、バーナ１５の加熱量（バーナ１５の燃焼量）を制御する。
【００２４】
温風暖房温水回路３０には、熱交換器１４から出湯される高温の温水がそのまま供給され、床暖房温水回路３１には、温風暖房温水回路３０及び床暖房温水回路３１から戻る温水と熱交換器１４からバイパス通路１９を介して供給される温水とが混合された、シスターン１７内の低温の温水が供給される。
【００２５】
熱源機コントローラ２６は、温風暖房機３のみに温水を供給するとき（温風暖房機３の単独運転時）は、熱源熱動弁１１を閉弁して温風暖房機３の端末熱動弁４５を開弁した状態でポンプ１６を作動させ、暖房高温サーミスタ１８の検出温度が所定温度（例えば８０℃）となるようにバーナ１５の加熱量を制御して、暖房運転を行なう。
【００２６】
また、温風暖房機３と床暖房パネル４の双方に温水を供給するとき（温風暖房機３と床暖房パネル４の並列運転時）には、熱源機コントローラ２６は、熱源熱動弁１１と温風暖房機３の端末熱動弁４５の双方を開弁した状態でポンプ１６を作動させ、暖房高温サーミスタ１８の検出温度が所定温度（例えば８０℃）となるように、バーナ１５の加熱量を制御して、暖房運転を行なう。
【００２７】
また、床暖房パネル４のみに温水を供給するとき（床暖房パネル４の単独運転時）には、熱源機コントローラ２６は、熱源熱動弁１１を開弁して温風暖房機３の端末熱動弁４５を閉弁した状態でポンプ１６を作動させ、暖房低温サーミスタ２０の検出温度が所定温度（例えば６０℃）となるように、バーナ１５の加熱量を制御して、暖房運転を行なう。
【００２８】
次に、温風暖房機３には、暖房熱交換器４１、温風ファン４２、温風暖房の開始／停止を指示するスイッチ等が設けられた温風暖房操作パネル４３、室温（温風ファン４２の作動により温風暖房機３内に吸入された室内の空気の温度）を検出する温風暖房サーミスタ４４、温風暖房温水回路３０を開閉して暖房熱交換器４１への温水の供給／停止を切替える端末熱動弁４５、及び温風暖房機３の全体的な作動を制御する温風暖房コントローラ４６が備えられている。
【００２９】
温風暖房コントローラ４６は、マイクロコンピュータやメモリ等により構成された電子ユニットであり、通信ケーブル４０を介して熱源機コントローラ２６と通信可能に接続されている。温風暖房コントローラ４６は、温風暖房操作パネル４３により温風暖房の開始が指示されたときに、端末熱動弁４５を開弁すると共に、熱源機コントローラ２６に対して暖房運転の開始を指示する信号を送信する。
【００３０】
これにより、熱源機１が作動を開始して熱源機１から温風暖房機３への温水供給が開始され、温風暖房コントローラ４６は、温風暖房サーミスタ４４の検出温度と温風暖房操作パネル４３により設定された目標室温との差が減少するように、温風ファン４２の回転数を調節して、温風により放出される熱量を制御する。
【００３１】
また、熱源機コントローラ２６は、床暖房パネル４の近傍に設置された床暖房端末５０と通信ケーブル５１を介して通信可能に接続されている。床暖房端末５０には、床暖房の開始／停止を指示するスイッチ等が設けられた床暖房操作パネル５２、室温を検出する床暖房サーミスタ５３、及び床暖房パネル４への温水の供給量を制御する床暖房コントローラ５４が備えられている。
【００３２】
床暖房コントローラ５４は、マイクロコンピュータやメモリ等により構成された電子ユニットであり、床暖房操作パネル５２により床暖房の開始が指示されたときに、熱源機コントローラ２６に対して床暖房運転の開始を指示する信号を送信する。これにより、熱源機１が作動を開始して熱源機１から床暖房パネル４への温水供給が開始され、床暖房コントローラ５４は、床暖房サーミスタ５３の検出温度と床暖房操作パネル５２により設定された目標室温との差が減少するように、熱源熱動弁１１の開閉を指示する信号を熱源機コントローラ２６に送信する。
【００３３】
そして、熱源機コントローラ２６は、床暖房コントローラ５４から受信した信号に従って熱源熱動弁１１の開閉デューティ（所定周期における熱源熱動弁１１が開状態である期間の割合を調節し、これにより、熱源機１から床暖房パネル４への温水の供給量が調節されて、床暖房パネル４から室内に放出される熱量が制御される。
【００３４】
なお、このように、床暖房コントローラ５４と熱源機コントローラ２６とにより、床暖房パネル４による暖房運転（床暖房運転）を実行する構成が、本発明の暖房制御部に相当する。
【００３５】
次に、床暖房コントローラ５４及び熱源機コントローラ２６により、床暖房パネル４を単独運転させるときの処理について、図２に示したフローチャートに従って説明する。
【００３６】
床暖房コントローラ５４は、使用者が床暖房操作パネル５２による床暖房の開始操作を行ったときに、図２のフローチャートによる処理を開始し、ＳＴＥＰ１で「急速暖房モード」の実行条件が成立しているか否かを判断する。
【００３７】
本実施形態では、前回の床暖房運転の終了時からの経過時間が１時間を越えていること、及び、使用者が床暖房操作パネルにより急速暖房を指示していることが、「急速暖房モード」の実行条件に設定されている。
【００３８】
そして、「急速暖房モード」の実行条件が成立しているときはＳＴＥＰ２に進み、床暖房コントローラ５４及び熱源機コントローラ２６は、ＳＴＥＰ２以下による「急速暖房モード」での暖房運転を実行する。なお、床暖房コントローラ５４及び熱源機コントローラ２６は、後述するように、「急速暖房モード」において「第１急速暖房モード」と「第２急速暖房モード」を切替える。
【００３９】
一方、「急速暖房モード」の実行条件が成立していないときにはＳＴＥＰ１０に分岐する。この場合は、「急速暖房モード」での暖房運転は実行されず、床暖房コントローラ５４及び熱源機コントローラ２６は、上述したように、熱源機１から床暖房パネル４に６０℃（本発明の第１設定温度に相当する）の温水を供給する「定常暖房モード」での暖房運転を実行する。
【００４０】
ＳＴＥＰ２で、床暖房コントローラ５４は、暖房負荷検知タイマをスタートさせる。なお、暖房負荷検知タイマのタイマ時間は、想定される床暖房パネル４の敷設面積や床暖房温水回路３１の長さ等に応じて、ポンプ１６により接続路２７に供給された温水が床暖房パネル４を経由して暖房低温サーミスタ２０の取付け箇所に戻るまでの時間よりも長く設定される。
【００４１】
また、ＳＴＥＰ３で、床暖房コントローラ５４は、急速暖房タイマをスタートさせる。なお、急速暖房タイマのタイマ時間は、使用者による床暖房操作パネル５２の操作によって、例えば３０分又は６０分に設定される。
【００４２】
続くＳＴＥＰ４で、熱源機コントローラ２６は、床暖房コントローラ５４からの指示に応じて、暖房高温サーミスタ１８の検出温度が８０℃（本発明の第２設定温度に相当する）となるように、バーナ１５の加熱量を制御する「第１急速暖房モード」での暖房運転を行なう（高温８０℃制御）。そして、次のＳＴＥＰ５で暖房負荷検知タイマがタイムアップしたときにＳＴＥＰ６に進む。
【００４３】
ＳＴＥＰ６で、床暖房コントローラ５４は、暖房低温サーミスタ２０の検出温度が７０℃（本発明の所定温度に相当する）未満であるか否かを判断する。ここで、暖房低温サーミスタ２０の検出温度が７０℃以上であるときには、「定常暖房モード」の設定温度である６０℃よりも床暖房パネル４に供給される温水の温度が高くなっており、床暖房パネル４による暖房開始時間を短縮する効果が得られていると判断できる。
【００４４】
そこで、この場合はＳＴＥＰ２０に分岐し、熱源機コントローラ２６は、「第１急速暖房モード」での暖房運転（高温８０℃制御）を継続する。そして、次のＳＴＥＰ２１で急速暖房タイマがタイムアップしたときに、ＳＴＥＰ１０に進み、熱源機コントローラ２６は、「第１急速暖房モード」を終了して「定常暖房モード」での暖房運転に移行する。
【００４５】
ここで、床暖房パネル４の暖房能力（ＤＱout）は、以下の式（１）で表される。
【００４６】
ＤＱout＝（Ｔhout−Ｔhin）×Ｗin＝（Ｔhout−Ｔhin）×ＷBP  ・・・・・ （１）
但し、ＤＱout：暖房能力（＝バーナ１５の加熱量）、Ｔhout：暖房高温サーミスタ１８の検出温度、Ｔhin：暖房低温サーミスタ２０の検出温度、Ｗin：機内流量（熱交換器１４内を流通する温水の流量）、ＷBP：バイパス流量（バイパス通路１９内を流通する温水の流量）。
【００４７】
また、「第１急速暖房モード」での暖房運転（高温８０℃制御）により、暖房低温サーミスタ２０の検出温度（Ｔhin、床暖房パネル４に供給される温水の温度）が７０℃となるときの暖房能力（ＤＱHD1）は、機内流量（Ｗin）を８リットル／minとすると、以下の式（２）で表される。
【００４８】
ＤＱHD1＝（８０℃−７０℃）×Ｗin＝１０℃×８リットル/min
＝８０kcal／min    ・・・・・ （２）
【００４９】
一方、ＳＴＥＰ６で、暖房低温サーミスタ２０の検出温度が７０℃未満であったときには、暖房能力は大きいものの、「定常暖房モード」の設定温度である６０℃に対して、床暖房パネル４に供給される温水の温度が十分に高くなっておらず、床暖房パネル４による暖房開始時間を短縮する効果が十分には得られないと判断できる。
【００５０】
そこで、この場合はＳＴＥＰ７に進み、熱源機コントローラ２６は、床暖房コントローラ５４からの指示に応じて、暖房低温サーミスタ２０の検出温度が７０℃（本発明の第３設定温度に相当する）となるように、バーナ１５の加熱量を制御する「第２急速暖房モード」での暖房運転を行なう（低温７０℃制御）。
【００５１】
ここで、低温７０℃制御を行う場合、後述するＳＴＥＰ８により暖房高温サーミスタ１８の検出温度が９０℃以下になるように、バーナ１５の加熱量が制限される。そのため、低温７０℃制御行った場合、最大で暖房高温サーミスタ１８の検出温度が９０℃になるまで、バーナ１５の加熱量が増大される。
【００５２】
そして、このときの暖房能力（ＤＱHD2）は、以下の式（３）で表される。
【００５３】
ＤＱHD2＝（９０℃−７０℃）×Ｗin＝２０℃×８リットル/min
＝１６０kcal/min    ・・・・・ （３）
【００５４】
上記式（３）と式（２）の比較から明らかなように、低温７０℃制御を行うことによって、高温８０℃制御を行うときよりも暖房能力が増大（８０kcal/min → １６０kcal/min）する。そのため、床暖房パネル４による暖房開始までの時間短縮の効果を高めることができる。
【００５５】
続くＳＴＥＰ８で、床暖房コントローラ５４は、暖房高温サーミスタ１８の検出温度が９０℃（本発明の高温上限温度に相当する）以上であるか否かを判断する。そして、暖房高温サーミスタ１８の検出温度が９０℃以上であるときにはＳＴＥＰ３０に分岐し、床暖房コントローラ５４は、熱源機コントローラ２６に対して、暖房高温サーミスタ１８の検出温度が９０℃未満になるように、バーナ１５の加熱量を制限することを指示する。
【００５６】
床暖房コントローラ５４は、このように、バーナ１５の加熱量を制限することによって、暖房高温サーミスタ１８の検出温度が、熱交換器１４を沸騰による劣化等から保護するために設定された暖房消火温度９２℃を超えて、熱源機コントローラ２６によりバーナ１５が強制的に消火されることを回避している。
【００５７】
ここで、床暖房コントローラ５４は、バーナ１５の加熱量の制限値の初期値（ＤＱlmt(0)）を以下の式（４）により設定し、以下の式（５）により、所定周期毎にバーナ１５の加熱量の制限値（ＤＱlmt(n)）を更新する。このように、加熱量の制限値を更新することによって、暖房高温サーミスタ１８の検出温度を９０℃未満に抑えつつ、バーナ１５の加熱量を極力大きくすることができる。
【００５８】
ＤＱlmt(0)＝ＤＱ90    ・・・・・ （４）
但し、ＤＱlmt(0)：加熱量の制限値の初期値、ＤＱ90：暖房高温サーミスタ１８の検出温度が９０℃に達したときのバーナ１５の加熱量。
【００５９】
ＤＱlmt(n+1)＝ＤＱlme(n)×９０(℃)／Ｔhout    ・・・・・ （５）
但し、ｎ：制御周期の番号、ＤＱlmt(n+1)：更新後のバーナ１５の加熱量の制限値、ＤＱlmt(n)：更新前のバーナ１５の加熱量の制限値、Ｔhout：更新時の暖房高温サーミスタ１８の検出温度。
【００６０】
続くＳＴＥＰ９で急速暖房タイマがタイムアップしたときにＳＴＥＰ１０に進み、床暖房コントローラ５４は、「第２急速暖房モード」を終了して「定常暖房モード」での暖房運転に移行する。
【００６１】
なお、本実施形態では、図２のＳＴＥＰ２及びＳＴＥＰ４〜ＳＴＥＰ５により、「第１急速暖房モード」での暖房運転（高温８０℃制御）を所定時間行ったときの暖房低温サーミスタ２０の検出温度が所定温度（本実施形態では７０℃）未満であるときに、ＳＴＥＰ７〜ＳＴＥＰ９によりを実行したが、「第１急速暖房モード」での暖房運転（高温８０℃制御）を行ったときの暖房低温サーミスタ２０の検出温度の上昇度合が所定レベル未満であるときに、「第２急速暖房モード」での暖房運転（低温７０℃制御）を実行するようにしてもよい。
【００６２】
また、本実施の形態では、「第２急速暖房モード」での制御として、図２のＳＴＥＰ７で暖房低温サーミスタ２０の検出温度が７０℃となるようにバーナ１５の燃焼量を制御する例を示したが、「第２急速暖房モード」での制御として、暖房高温サーミスタ１８の検出温度が８０℃よりも高い設定温度（例えば８５℃、本発明の第４設定温度に相当する）となるようにバーナ１５の燃焼量を制御してもよい。
【００６３】
あるいは、「第２急速暖房モード」での制御として、バーナ１５の加熱量を予め定めた所定量増大させる、或いは、バーナ１５の加熱量を暖房低温サーミスタ２０の検出温度に応じて増大させることによって、床暖房パネル４に供給される温水の温度を高めるようにしてもよい。
【００６４】
また、本実施形態では、図２のＳＴＥＰ８，ＳＴＥＰ３０により、バーナ１５の加熱量を制限する処理を行ったが、この制御を行わない場合であっても本発明の効果を得ることができる。
【００６５】
また、本実施形態では、本発明の加熱部として熱交換器１４とガスを燃料とするバーナ１５による構成を示したが、熱交換器と石油バーナによる構成、電気ヒータ等、他の構成による加熱部を用いてもよい。
【００６６】
また、本実施形態では、熱媒として温水を用いた暖房システムを用いたが、不凍液等の他の種類の熱媒を用いた暖房システムについても、本発明の適用が可能である。
【符号の説明】
【００６７】
１…熱源機、２…端末温水回路、３…温風暖房機、４…床暖房パネル、１４…熱交換器、１５…バーナ、１６…ポンプ、１７…シスターン、１８…暖房高温サーミスタ、２０…暖房低温サーミスタ、２６…熱源機コントローラ、３０…温風暖房温水回路、３１…床暖房温水回路、５４…床暖房コントローラ。
【図１】
2013108723.tif 000003
【図２】
2013108723.tif 000004